(57)【要約】      （修正有）【課題】弦楽器において操作性を向上させた調弦用ノブを提供する。【解決手段】弦楽器に用いられる弦の張りを調整する機構を回転させるノブ１０は、略平板状の本体部１１からなり、回転軸を挿通される軸受部１５を有している。本体部１１は、第１の主面１２、第２の主面及び第１の主面１２と第２の主面の間に設けられた周辺側面部１４を有し、周辺側面部１４は、複数の突起部１７，１８を有する。ノブ１０は、複数の突起部１７，１８によりユーザの操作性を向上させる。【選択図】図１
0003182123.tif 000002
【実用新案登録請求の範囲】
【請求項１】
弦楽器に用いられる弦の張りを調整する機構を回転させるノブであって、
回転軸を挿通される軸受部を有し、略平板状の本体部からなり、
前記本体部は、第１の主面、第２の主面及び第１の主面と第２の主面の間に設けられた周辺側面部を有し、
前記周辺側面部は、複数の突起部を有することを特徴とする調弦用ノブ。
【請求項２】
前記複数の突起部のうち少なくとも一つは、全体として略鋭角構造を有する突起形状であることを特徴とする請求項１に記載の調弦用ノブ。
【請求項３】
前記複数の突起部は、前記周辺側面部に均等間隔で配設されていることを特徴とする請求項１又は２に記載の調弦用ノブ。
【請求項４】
前記第１の主面及び第２の主面のうち少なくとも一方は、複数の段差部を有する凹凸面からなることを特徴とする請求項１乃至３のいずれか１に記載の調弦用ノブ。
【請求項５】
前記第１の主面及び第２の主面の両方は、それぞれ複数の段差部を有する凹凸面からなることを特徴とする請求項４に記載の調弦用ノブ。
【考案の詳細な説明】
【技術分野】
【０００１】
本考案は、調弦装置において弦の張りを調整する操作を受ける調弦用ノブに関する。
【背景技術】
【０００２】
弦楽器には、弦の張りを調整するために弦を巻き上げる調弦装置が備えられており、この調弦装置はペグ（糸巻、転手）等と呼ばれている。例えば６弦楽器であるギターには、各弦に対応したペグが６つもうけられている。ペグは、回転軸とこの回転軸に連結されたノブを備えており、ノブを回転することによって回転軸が直接的又は間接的に弦を巻き上げ又は巻き戻して、弦の張りを調整することができる。なお、ノブは、つまみ、ボタン等の他の名称で呼ばれることもある。
【０００３】
特許文献１には、一般的な６弦楽器であるギターのペグと各弦に対応するノブが開示されている。ノブは、円形または楕円形の薄板形状を有しており指でつまみ回転させることができるようになっている。
特許文献２には、一般的な６弦楽器であるギターのペグと各弦に対応するノブが開示されている。ノブは、略方形の薄板形状を有しており指でつまみ回転させることができるようになっている。
【先行技術文献】
【特許文献】
【０００４】
【特許文献１】特開２０１２−１８１３８０号公報
【特許文献２】特開２０１１−０１３５１６号公報
【考案の概要】
【考案が解決しようとする課題】
【０００５】
特許文献１及び２に開示されたノブは、周辺部の側面が緩やかなカーブを描く面によって構成され、ノブを操作する際や保持する際に指が滑りやすいといった課題がある。
また、特許文献１及び２に開示されたノブは、周辺部が略円形か略方形であるためデザイン性にも欠けるという課題もある。
【課題を解決するための手段】
【０００６】
本考案に係る調弦装置用ノブは、弦楽器に用いられる弦の張りを調整する機構を回転させるノブであって、回転軸を挿通される軸受部を有し、略平板状の本体部からなり、本体部は、第１の主面、第２の主面及び第１の主面と第２の主面の間に設けられた周辺側面部を有し、周辺側面部は、複数の突起部を有することを特徴とする。
【考案の効果】
【０００７】
本考案に基づくノブは、指でつまみ回転しやすくかつ滑りにくいといったユーザの利便性を向上させつつ、デザイン性を向上させることができる。
【図面の簡単な説明】
【０００８】
【図１】第１の実施の形態に示すノブの斜視図である。
【図２】第１の実施の形態に示すノブの正面図である。
【図３】第１の実施の形態に示すノブの右側面図である。
【図４】第１の実施の形態に示すノブの左側面図である。
【図５】第１の実施の形態に示すノブの上面図である。
【図６】第１の実施の形態に示すノブの下面図である。
【図７】第１の実施の形態に示すノブの裏面図である。
【図８】第２の実施の形態に示すノブの斜視図である。
【図９】第２の実施の形態に示すノブの正面図である。
【図１０】第２の実施の形態に示すノブの右側面図である。
【図１１】第２の実施の形態に示すノブの左側面図である。
【図１２】第２の実施の形態に示すノブの上面図である。
【図１３】第２の実施の形態に示すノブの下面図である。
【図１４】第２の実施の形態に示すノブの裏面図である。
【図１５】第３の実施の形態に示すノブの斜視図である。
【図１６】第３の実施の形態に示すノブの正面図である。
【図１７】第３の実施の形態に示すノブの右側面図である。
【図１８】第３の実施の形態に示すノブの左側面図である。
【図１９】第３の実施の形態に示すノブの上面図である。
【図２０】第３の実施の形態に示すノブの下面図である。
【図２１】第３の実施の形態に示すノブの裏面図である。
【図２２】第４の実施の形態に示すノブの斜視図である。
【図２３】第４の実施の形態に示すノブの正面図である。
【図２４】第４の実施の形態に示すノブの右側面図である。
【図２５】第４の実施の形態に示すノブの左側面図である。
【図２６】第４の実施の形態に示すノブの上面図である。
【図２７】第４の実施の形態に示すノブの下面図である。
【図２８】第４の実施の形態に示すノブの裏面図である。
【図２９】第５の実施の形態に示すノブの斜視図である。
【図３０】第５の実施の形態に示すノブの正面図である。
【図３１】第５の実施の形態に示すノブの右側面図である。
【図３２】第５の実施の形態に示すノブの左側面図である。
【図３３】第５の実施の形態に示すノブの上面図である。
【図３４】第５の実施の形態に示すノブの下面図である。
【図３５】第５の実施の形態に示すノブの裏面図である。
【図３６】第６の実施の形態に示すノブの斜視図である。
【図３７】第６の実施の形態に示すノブの正面図である。
【図３８】第６の実施の形態に示すノブの右側面図である。
【図３９】第６の実施の形態に示すノブの左側面図である。
【図４０】第６の実施の形態に示すノブの上面図である。
【図４１】第６の実施の形態に示すノブの下面図である。
【図４２】第６の実施の形態に示すノブの裏面図である。
【考案を実施するための形態】
【０００９】
本考案に係る調弦用ノブについて説明する。
【００１０】
まず、本考案に係るノブは、図１，図８，図１５，図２２，図２９，図３６の斜視図等に示すように、第１の主面（表面）と第２の主面（裏面）とその周辺を形成する周辺側面部とを有し、略平板状の本体部からなる。また、ノブは、本体部の略中央に図示しない回転軸を挿通される軸受部を有し、軸受部に回転軸が挿通固定されることにより、調弦装置におけるつまみネジ状の構造を有することとなる。
【００１１】
回転軸は、直接的または間接的に弦楽器の弦と接続され、ノブを回転させることにより弦を巻き上げ又は巻き戻し、弦の張りを調整することができる。
【００１２】
ここで、調弦装置としては、摩擦を用いて弦の張りを固定するフリクションタイプや、回転軸をウォームギア状に形成し、このギアにより弦を巻き上げ又は巻き戻す各種のものがあり、本考案に係る調弦用ノブは、いずれの調弦装置にも用いることは言うまでもない。
【００１３】
本考案に係るノブは、周辺側面部に複数の突起部を有する。
この突起部は、複数設けられることで、ユーザの操作の際に指に掛りやすい構造となっており、操作性の向上に寄与している。
また、突起部のうち少なくとも一つは、略鋭角構造を有するように構成されており、ユーザの操作の際に指に係りやすい構造となっており、操作性の向上に寄与している。
更に、複数の突起部は、互いに大小の構造を有してもよく、デザイン性を損なうことはない。
【００１４】
なお、本考案に係るノブは、後述する実施の形態で示される複数の形状にそれぞれ利点があり、弦楽器の各弦に対応してそれぞれ別形状のものを用いるようにしてもよい。この場合、各弦に対応するノブは、利用者が触った感覚ですぐに判別可能であるという効果を得ることができる。
【００１５】
以下、具体的な実施の形態毎に詳細に説明を行う。
【００１６】
［第１の実施の形態］
第１の実施の形態では、図１乃至図７に示す、ノブについて説明する。
【００１７】
本実施の形態の第１のノブ１０は、回転軸を挿通される軸受部１５を有し、略平板状の本体部１１と、その周辺を形成する周辺側面部１４とを有している。
【００１８】
本体部１１は、第１の主面（表面）１２と第２の主面（裏面）１３を有し、略平板状の構造を有している。より詳細には、第１の主面１２及び第２の主面１３は、図３，図４の側面図に示されるように、軸受部１５周辺を凸とするなだらかなカーブを描く形状とされている。
【００１９】
軸受部１５は、本体部１１を貫通する軸孔１６を有し、この軸孔１６に図示しない回転軸が挿通固定されるようになっている。
【００２０】
周辺側面部１４は、複数の突起部１７，１８を有する。突起部１７は、突起部１８と比較して大きな構造を有する大規模の突起構造である。突起部１８は、突起部１７と比較して小さな構造を有する小規模の突起構造である。
【００２１】
このような突起部１７，１８は、複数設けられることで、操作性の向上に寄与している。複数設ける際には、突起部１７と突起部１８とをそれぞれ複数ずつ設けるようにしてもよく、突起部１７，１８を増やすことにより操作性のさらなる向上が期待できる。
【００２２】
また、突起部１８は、略鋭角構造を有するように構成されており、ユーザの操作の際に指に掛りやすい構造となっており、操作性の向上に寄与している。
【００２３】
［第２の実施の形態］
第２の実施の形態では、図８乃至図１５に示す、ノブについて説明する。
【００２４】
本実施の形態の第２のノブ２０は、回転軸を挿通される軸受部２５を有し、略平板状の本体部２１と、その周辺を形成する周辺側面部２４とを有している。
【００２５】
本体部２１は、第１の主面（表面）２２と第２の主面（裏面）２３を有し、略平板状の構造を有している。より詳細には、第１の主面２２及び第２の主面２３は、図１０，図１１の側面図に示されるように、軸受部２５周辺を凸とするなだらかなカーブを描く形状とされている。
【００２６】
軸受部２５は、本体部２１を貫通する軸孔２６を有し、この軸孔２６に図示しない回転軸が挿通固定されるようになっている。
【００２７】
周辺側面部２４は、複数の突起部２７，２８を有する。
【００２８】
このような突起部２７，２８は、複数設けられることで、操作性の向上に寄与している。複数設ける際には、突起部２７と突起部２８とをそれぞれ複数ずつ設けるようにしてもよく、突起部２７，２８を増やすことにより操作性のさらなる向上が期待できる。
【００２９】
また、突起部２８は、略鋭角構造を有するように構成されており、ユーザの操作の際に指に掛りやすい構造となっており、操作性の向上に寄与している。
【００３０】
［第３の実施の形態］
第３の実施の形態では、図１５乃至図２１に示す、ノブについて説明する。
【００３１】
本実施の形態の第３のノブ３０は、回転軸を挿通される軸受部３５を有し、略平板状の本体部３１と、その周辺を形成する周辺側面部３４とを有している。
【００３２】
本体部３１は、第１の主面（表面）３２と第２の主面（裏面）３３を有し、略平板状の構造を有している。より詳細には、第１の主面３２及び第２の主面３３は、図１７，図１８の側面図に示されるように、軸受部３５周辺を凸とするなだらかなカーブを描く形状とされている。
【００３３】
軸受部３５は、本体部３１を貫通する軸孔３６を有し、この軸孔３６に図示しない回転軸が挿通固定されるようになっている。
【００３４】
周辺側面部３４は、２つの突起部３７を有する。
【００３５】
このような突起部３７は、２つ以上設けられることで、操作性の向上に寄与している。複数設ける際には、突起部３７は、３つ以上設けるようにしてもよく、突起部３７を増やすことにより操作性のさらなる向上が期待できる。
【００３６】
また、突起部３７は、略鋭角構造を有するように構成されており、ユーザの操作の際に指に掛りやすい構造となっており、操作性の向上に寄与している。
【００３７】
なお、突起部３７は、第３のノブ３０の中心から点対称に設けられていることが好ましく、ユーザがいずれの部位を触ってもすぐに指に掛りやすいといった効果を得ることができる。
【００３８】
［第４の実施の形態］
第４の実施の形態では、図２２乃至図２８に示す、ノブについて説明する。
【００３９】
本実施の形態の第４のノブ４０は、回転軸を挿通される軸受部４５を有し、略平板状の本体部４１と、その周辺を形成する周辺側面部４４とを有している。
【００４０】
本体部４１は、第１の主面（表面）４２と第２の主面（裏面）４３を有し、略円形で略平板状の構造を有している。より詳細には、第１の主面４２及び第２の主面４３は、図２４，図２５の側面図に示されるように、軸受部４５周辺を凸とするなだらかなカーブを描く形状とされている。
【００４１】
軸受部４５は、本体部４１を貫通する軸孔４６を有し、この軸孔４６に図示しない回転軸が挿通固定されるようになっている。
【００４２】
周辺側面部４４は、複数の突起部４７を有する。突起部４７は、本体部４１の円周部に沿って均等間隔で配置されている。
【００４３】
このような突起部４７は、複数設けられることで、操作性の向上に寄与している。また、突起部４７は、本体部４１の円周部に沿って均等間隔で設けられていることにより、ユーザがいずれの部位を触ってもすぐに指に掛りやすいといった効果を得ることができる。第３の実施の形態で説明した第３のノブよりも高い効果を得ることができる。
【００４４】
また、突起部４７は、略鋭角構造を有するように構成されており、ユーザの操作の際に指に掛りやすい構造となっており、操作性の向上に寄与している。なお、本実施の形態では、略鋭角構造と説明する構造が９０度以下の角度を持って構成される突起部に限定されない。概ね９０度程度であれば本発明の効果を得ることができる。
【００４５】
ここで、本体部４１の構造についてさらに説明をする。
【００４６】
本体部４１は、第１の主面４２と第２の主面４３が、略鏡面像の形状とされており、具体的には、中央部に凹部を有し、円周部は、突起部４７と連続する複数の段差部４８を有している。
【００４７】
段差部４８は、第１の主面４２及び第２の主面４３上に円周に沿った凹凸面を形成する。また、第１の主面４２及び第２の主面４３上に円周に沿って隣り合う段差部４８は、互いに異なる円弧形状に形成されており、隣り合う段差部４８同士が接する部分において、さらなる段差部４９を形成する。
【００４８】
段差部４８，４９を有することにより第４のノブは、周辺側面部４４だけでなく、第１の主面４２及び第２の主面４３においても、ユーザの操作の際に指に掛りやすい構造となっており、第１乃至第３の実施の形態における第１乃至第３のノブと比較して操作性の向上に寄与している。特に段差部４９は、後述する第５及び第６の実施の形態における第５及び第６のノブと比較して、さらにグリップ力を向上させ、ユーザの操作性を向上させることができる。
【００４９】
また、段差部４８は、突起部４７と連続する構造とすることにより、成形を容易とするとともにデザイン性を向上させることができる。
【００５０】
［第５の実施の形態］
第５の実施の形態では、図２９乃至図３５に示す、ノブについて説明する。
【００５１】
本実施の形態の第５のノブ５０は、回転軸を挿通される軸受部５５を有し、略平板状の本体部５１と、その周辺を形成する周辺側面部５４とを有している。
【００５２】
本体部５１は、第１の主面（表面）５２と第２の主面（裏面）５３を有し、略円形で略平板状の構造を有している。より詳細には、第１の主面５２及び第２の主面５３は、図３１，図３２の側面図に示されるように、軸受部５５周辺を凸とするなだらかなカーブを描く形状とされている。
【００５３】
軸受部５５は、本体部５１を貫通する軸孔５６を有し、この軸孔５６に図示しない回転軸が挿通固定されるようになっている。
【００５４】
周辺側面部５４は、複数の突起部５７を有する。突起部５７は、本体部５１の円周部に沿って均等間隔で配置されている。
【００５５】
このような突起部５７は、複数設けられることで、操作性の向上に寄与している。また、突起部５７は、本体部５１の円周部に沿って均等間隔で設けられていることにより、ユーザがいずれの部位を触ってもすぐに指に掛りやすいといった効果を得ることができる。第３の実施の形態で説明した第３のノブよりも高い効果を得ることができる。
【００５６】
また、突起部５７は、略鋭角構造を有するように構成されており、ユーザの操作の際に指に掛りやすい構造となっており、操作性の向上に寄与している。
【００５７】
ここで、本体部５１の構造についてさらに説明をする。
【００５８】
本体部５１は、第１の主面５２と第２の主面５３が、略鏡面像の形状とされており、具体的には、中央部は円形のなだらかな面で形成し、円周部は突起部５７と連続する複数の段差部５８を有している。
【００５９】
段差部５８は、第１の主面５２及び第２の主面５３上に円周に沿った凹凸面を形成する。
【００６０】
段差部５８を有することにより第５のノブは、周辺側面部５４だけでなく、第１の主面５２及び第２の主面５３においても、ユーザの操作の際に指に掛りやすい構造となっており、第１乃至第３の実施の形態における第１乃至第３のノブと比較して操作性の向上に寄与している。
【００６１】
また、段差部５８は、突起部５７と連続する構造とすることにより、成形を容易とするとともにデザイン性を向上させることができる。
【００６２】
［第６の実施の形態］
第６の実施の形態では、図３６乃至図４２に示す、ノブについて説明する。
【００６３】
本実施の形態の第６のノブ６０は、回転軸を挿通される軸受部６５を有し、略平板状の本体部６１と、その周辺を形成する周辺側面部６４とを有している。
【００６４】
本体部６１は、第１の主面（表面）６２と第２の主面（裏面）６３を有し、略円形で略平板状の構造を有している。より詳細には、第１の主面６２及び第２の主面６３は、図３８，図３９の側面図に示されるように、軸受部６５周辺を凸とするなだらかなカーブを描く形状とされている。
【００６５】
軸受部６５は、本体部６１を貫通する軸孔６６を有し、この軸孔６６に図示しない回転軸が挿通固定されるようになっている。
【００６６】
周辺側面部６４は、複数の突起部６７を有する。突起部６７は、本体部６１の円周部に沿って均等間隔で配置されている。
【００６７】
このような突起部６７は、複数設けられることで、操作性の向上に寄与している。また、突起部６７は、本体部６１の円周部に沿って均等間隔で設けられていることにより、ユーザがいずれの部位を触ってもすぐに指に掛りやすいといった効果を得ることができる。第３の実施の形態で説明した第３のノブよりも高い効果を得ることができる。
【００６８】
また、突起部６７は、略鋭角構造を有するように構成されており、ユーザの操作の際に指に掛りやすい構造となっており、操作性の向上に寄与している。なお、本実施の形態では、略鋭角構造と説明する構造が９０度以下の角度を持って構成される突起部に限定されない。概ね９０度程度であれば本発明の効果を得ることができる。
【００６９】
ここで、本体部６１の構造についてさらに説明をする。
【００７０】
本体部６１は、第１の主面６２と第２の主面６３が、略同一の形状とされており、具体的には、中央部は円形のなだらかな面で形成し、円周部は突起部６７と連続する複数の段差部６８を有している。
【００７１】
段差部６８は、第１の主面６２及び第２の主面６３上に円周に沿った凹凸面を形成する。
【００７２】
段差部６８を有することにより第６のノブは、周辺側面部６４だけでなく、第１の主面６２及び第２の主面６３においても、ユーザの操作の際に指に掛りやすい構造となっており、第１乃至第３の実施の形態における第１乃至第３のノブと比較して操作性の向上に寄与している。
【００７３】
また、段差部６８は、突起部６７と連続する構造とすることにより、成形を容易とするとともにデザイン性を向上させることができる。
【００７４】
［製造方法］
本考案に係るノブの製造方法について説明する。
【００７５】
まず、いわゆる３Ｄプリンタを用いた製造方法を説明する。
【００７６】
例えば、３Ｄプリンタの一例として、３次元形状データに基づき、ＡＢＳ樹脂を用いてインクジェット方式で積層して構造体を形成し、紫外線光で硬化させるものがある。
【００７７】
この手法によれば、複雑で細かな形状や曲面もスムーズに再現可能であり、樹脂材料としてはＡＢＳ樹脂、アクリル樹脂等の各種の樹脂を用いることができ本考案のような複雑な形状のノブを作成するのに簡便である。
【００７８】
また、他の例として、３次元形状データに基づき、粉末状の素材を炭素ガスレーザで焼結させ溶融固化しながら積層して構造体を形成するものがある。
【００７９】
このような手法を用いると、強度が高く且つ物性値が優れていることから汎用プラスチックに近い造形が可能となり、ドリル加工、接着、塗装等も容易に行えるといった加工上のメリットがある。
【００８０】
また、他の例として、３次元形状データに基づき、樹脂層に入ったエポキシ系紫外線硬化樹脂の液面に紫外線レーザーをあてて一層ずつ硬化させ、重ね合わせていくことで構造体を形成するものがある。
【００８１】
この手法によれば、非常に高精度（３次元形状データとの誤差を１５０ｍｍ角程度）に構造体を形成することができる。また、内部構造の可視化が可能な透明樹脂を使用できるといったメリットがある。
【００８２】
次に、金型を用いた製造方法について説明する。
金型製造は、構造体の形状に合わせた金型に素材を流し込み成形する方法である。例えば樹脂の射出成型法等がこれにあたる。
【００８３】
この製造方法によれば、金型を一度作成することにより安価に量産を行うことができるというメリットがある。
【００８４】
本考案にかかるノブは、上述したような各手法を用いることができるが、少量多品種を製造する場合には３Ｄプリンタを用い、量産時には金型成形を行うことが好ましい。
【００８５】
特に、本考案では、古典的な調弦用ノブにとらわれず本考案の特徴点を含めた形状を自由に作成するために、３Ｄプリンタを用いると好適である。
【００８６】
エンドユーザからＣＡＤデータ等の納品を受けてオンラインで製造の受発注も可能となるからである。具体的には、エンドユーザの端末装置からＣＡＤデータのアップロードを受けるサーバ装置を設置し、３Ｄプリンタと接続された端末装置がサーバ装置からＣＡＤデータをダウンロードするとともに３ＤプリンタにＣＡＤデータに基づくノブを成形させて、完成したノブをユーザに郵送するといった手法をとることができる。なお、端末装置やサーバ装置は汎用コンピュータ等を用いることができるため、詳細を省略する。
【符号の説明】
【００８７】
１０  第１のノブ
１１  本体部
１２  第１の主面
１３  第２の主面
１４  周辺側面部
１５  軸受部
１６  軸孔
１７  突起部
１８  突起部
２０  第２のノブ
２１  本体部
２２  第１の主面
２３  第２の主面
２４  周辺側面部
２５  軸受部
２６  軸孔
２７  突起部
２８  突起部
３０  第３のノブ
３１  本体部
３２  第１の主面
３３  第２の主面
３４  周辺側面部
３５  軸受部
３６  軸孔
３７  突起部
４０  第４のノブ
４１  本体部
４２  第１の主面
４３  第２の主面
４４  周辺側面部
４５  軸受部
４６  軸孔
４７  突起部
４８  段差部
４９  段差部
５０  第５のノブ
５１  本体部
５２  第１の主面
５３  第２の主面
５４  周辺側面部
５５  軸受部
５６  軸孔
５７  突起部
５８  段差部
６０  第６のノブ
６１  本体部
６２  第１の主面
６３  第２の主面
６４  周辺側面部
６５  軸受部
６６  軸孔
６７  突起部
６８  段差部
【図１】
0003182123.tif 000003
【図２】
0003182123.tif 000004
【図３】
0003182123.tif 000005
【図４】
0003182123.tif 000006
【図５】
0003182123.tif 000007
【図６】
0003182123.tif 000008
【図７】
0003182123.tif 000009
【図８】
0003182123.tif 000010
【図９】
0003182123.tif 000011
【図１０】
0003182123.tif 000012
【図１１】
0003182123.tif 000013
【図１２】
0003182123.tif 000014
【図１３】
0003182123.tif 000015
【図１４】
0003182123.tif 000016
【図１５】
0003182123.tif 000017
【図１６】
0003182123.tif 000018
【図１７】
0003182123.tif 000019
【図１８】
0003182123.tif 000020
【図１９】
0003182123.tif 000021
【図２０】
0003182123.tif 000022
【図２１】
0003182123.tif 000023
【図２２】
0003182123.tif 000024
【図２３】
0003182123.tif 000025
【図２４】
0003182123.tif 000026
【図２５】
0003182123.tif 000027
【図２６】
0003182123.tif 000028
【図２７】
0003182123.tif 000029
【図２８】
0003182123.tif 000030
【図２９】
0003182123.tif 000031
【図３０】
0003182123.tif 000032
【図３１】
0003182123.tif 000033
【図３２】
0003182123.tif 000034
【図３３】
0003182123.tif 000035
【図３４】
0003182123.tif 000036
【図３５】
0003182123.tif 000037
【図３６】
0003182123.tif 000038
【図３７】
0003182123.tif 000039
【図３８】
0003182123.tif 000040
【図３９】
0003182123.tif 000041
【図４０】
0003182123.tif 000042
【図４１】
0003182123.tif 000043
【図４２】
0003182123.tif 000044